(57)【要約】【課題】柄を握りなおすことなくラチェット機構のオンオフ切替操作を行うことが可能なラチェット機構付きモンキーレンチを提供する。【解決手段】切替部材３２は、切替軸４８にて固定アゴ本体１２に往復回動自在に取り付けられると共にクリックバネ３４に係合し、柄１６にスライドカラー２６が係合して柄１６をロックする状態と、前記柄１６からスライドカラー２６が離脱して柄１６の揺動をフリーにする状態とが維持されるようになっており、切替部材３２の操作部３２ｅは、可動アゴ本体１４の可動アゴ部側下端部１２ｔから外方に突出するように配置されている。【選択図】図４
2017030116.tif 000002
【特許請求の範囲】
【請求項１】
被締着部材を挟持して回転させる際の一方の挟持部となる固定アゴ部を有する固定アゴ本体、その他方の挟持部となる可動アゴ部を有し、前記固定アゴ部に対して近接離間可能となるように前記固定アゴ本体に移動可能に装着された可動アゴ本体、前記固定アゴ本体に設けた支点軸にて揺動自在に取り付けられた柄とで構成されラチェット機構付きモンキーレンチであって、
前記可動アゴ本体には、移動方向に沿ってラック歯を有するラックが設けられ、
前記固定アゴ本体の可動アゴ部側下端部には、前記固定アゴ本体の可動アゴ部側下端部から前記可動アゴ本体の移動方向に平行に挿通されたシャフトと、前記柄の揺動を規制する切替部材とが設けられ、
前記シャフトには、前記ラック歯に噛合し、前記可動アゴ本体と共に移動するウォームと、前記柄に係脱して前記ウォームの移動を規制するスライドカラーと、前記柄の揺動によって前記ウォームが前記可動アゴ本体と共に前記固定アゴ部から離間する方向に移動してきた時に逆の近接方向に押圧付勢する主バネと、前記切替部材の切り替え状態を保持するクリックバネとが挿通されており、
前記切替部材は、切替軸にて前記固定アゴ本体に往復回動自在に取り付けられると共に前記クリックバネに係合し、前記柄に前記スライドカラーが係合して前記柄をロックする状態と、前記柄から前記スライドカラーが離脱して前記柄の揺動をフリーにする状態とが維持されるようになっており、
前記切替部材の操作部は、前記可動アゴ本体の前記可動アゴ部側下端部から外方に突出するように配置されていることを特徴とするラチェット機構付きモンキーレンチ。
【発明の詳細な説明】
【技術分野】
【０００１】
本発明は、ラチェット機構を有するモンキーレンチの改良に関する。
【背景技術】
【０００２】
この種のモンキーレンチとして、例えば特許文献１に示すモンキーレンチが知られている。この従来のモンキーレンチについて簡単に説明すると、図７に示すように、固定アゴ本体２、可動アゴ本体３、柄４、ラチェット機構５およびロック部材６を大略備えており、柄４が固定アゴ本体２に設けられた軸７を中心に揺動するように構成されている。
【０００３】
そして、固定アゴ本体２の側面にロック部材６のロックボタン６ａが設けられ、可動アゴ本体３の移動方向に平行に設けられた長孔２ａに沿って移動可能に設けられている。このロックボタン６ａには、ロックカム６ｂが取り付けられており、柄４の軸７近傍の切り欠き４ａに挿脱することで柄４の揺動をロック・アンロックするようになっている。
【先行技術文献】
【特許文献】
【０００４】
【特許文献１】登録実用新案第３１８３１３９号公報（図１）
【発明の概要】
【発明が解決しようとする課題】
【０００５】
このモンキーレンチ１を使用する際は、柄４を握り、ウォーム８を親指で操作して固定アゴ部２ｂと可動アゴ部３ａとの間の間隔をボルト・ナットなどの被締着部材Ｘの幅に合わせ、被締着部材Ｘを中心にして柄４を揺動させて被締着部材Ｘを締め込んで行くことになるが、ラチェット機構５を利用して連続的に柄４を揺動させて被締着部材Ｘを締め込んで行くには、ロックボタン６ａを操作してロックカム６ｂを柄４の切り欠き４ａから離脱させなければならない。
【０００６】
その場合、空いている左手でロックボタン６ａを操作するか、ロックボタン６ａが固定アゴ本体２の側面にあるため親指が届かず操作できないために柄４を握り直し、ロックボタン６ａを操作することになる。
【０００７】
特に、高所であったり足場が悪い不安定な場所での作業では、両手を自由に使えない場合があり、空いている左手でロックボタン６ａを操作することが出来ない。その場合、柄４を握っている側の右手で切替操作をすることになるが、柄４を握りなおすと、手からモンキーレンチ１が滑り落ちて落下事故を引き起こす危険がある。
【０００８】
本発明は、かかる従来の問題点に鑑みてなされたものであり、柄を握りなおすことなく片手で簡単にラチェット機構のオン・オフの切替操作を行うことが可能なラチェット機構付きモンキーレンチを提供することにある。
【課題を解決するための手段】
【０００９】
請求項１に記載した発明は、「被締着部材Ｘを挟持して回転させる際の一方の挟持部となる固定アゴ部１２ｂを有する固定アゴ本体１２、その他方の挟持部となる可動アゴ部１４ｂを有し、固定アゴ部１２ｂに対して近接離間可能となるように固定アゴ本体１２に移動可能に装着された可動アゴ本体１４、固定アゴ本体１２に設けた支点軸４６にて揺動自在に取り付けられた柄１６とで構成されたラチェット機構付きモンキーレンチ１０であって、
可動アゴ本体１４には、移動方向に沿ってラック歯１４ｃを有するラック１４ａが設けられ、
固定アゴ本体１２の可動アゴ部側下端部１２ｔには、可動アゴ本体１４の移動方向に平行に挿通されたシャフト３０と、柄１６の揺動を規制する切替部材３２とが設けられ、
シャフト３０には、ラック歯１４ｃに噛合し、可動アゴ本体１４と共に移動するウォーム１８と、柄１６に係脱してウォーム１８の移動を規制するスライドカラー２６と、柄１６の揺動によってウォーム１８が可動アゴ本体１４と共に固定アゴ部１２ｂから離間する方向に移動してきた時に逆の近接方向に押圧付勢する主バネ２８と、切替部材３２の切り替え状態を保持するクリックバネ３４とが挿通されており、
切替部材３２は、切替軸４８にて固定アゴ本体１２に往復回動自在に取り付けられると共にクリックバネ３４に係合し、柄１６にスライドカラー２６が係合して柄１６をロックする状態と、前記柄１６からスライドカラー２６が離脱して柄１６の揺動をフリーにする状態とが維持されるようになっており、
切替部材３２の操作部３２ｅは、可動アゴ本体１４の可動アゴ部側下端部１２ｔから外方に突出するように配置されている」ことを特徴とするラチェット機構付きモンキーレンチ１０である。
【発明の効果】
【００１０】
請求項１に記載のラチェット機構付きモンキーレンチ１０によれば、柄１６の揺動をロック・アンロックする切替部材３２が、固定アゴ本体１２の可動アゴ部側下端部１２ｔに設けられているので、柄１６を握ると、親指が沿う位置に切替部材３２が位置することとなる。
【００１１】
したがって、柄１６を握りなおす必要がないので、高所や足場が悪い不安定な場所のように両手を自由に使うことができない場所で被締着部材Ｘの締結作業をする場合であったとしても、切替部材３２の操作を片手で簡単に行うことができるので、切替部材３２を操作する際にモンキーレンチ１０が手から滑り落ちることはなく、落下事故を引き起こす恐れもない。
【図面の簡単な説明】
【００１２】
【図１】この発明に係るラチェット機構付きレンチを示す斜視図である。
【図２】ラチェット機構付きレンチの分解図（一部断面）である。
【図３】使用状態を示す図である。
【図４】ラチェット機構をオンにした状態を示す図である。
【図５】柄を背側方向に回転させた状態を示す図である。
【図６】可動アゴがスライドする状態を示す図である。
【図７】従来のラチェット機構付きレンチを示す断面図である。
【発明を実施するための形態】
【００１３】
以下、本発明の一実施形態を図１〜２によって説明する。図１は、本発明にかかるラチェット機構付きモンキーレンチ１０を示す斜視図であり、図２は、ラチェット機構付きモンキーレンチ１０の分解図（一部断面）である。
【００１４】
これらの図が示すように、本発明のラチェット機構付きモンキーレンチ１０は、固定アゴ本体１２、可動アゴ本体１４、柄１６、ウォーム１８、ラチェット機構２０、切替機構２２並びに必要に応じて設けられる緩止機構２４により大略構成されている。
【００１５】
固定アゴ本体１２は、金属などの剛性材料からなる板状の部材で、その前端部（図２中、左側）には、図中、上下方向に垂直に伸びる前側面１２ａが形成されており、該前側面１２ａの上部には、固定アゴ部１２ｂが前方へ向けて延設されている。
【００１６】
固定アゴ部１２ｂは、前側面１２ａと直交する方向に伸びる当たり面１２ｃをその腹側（図２中、下側）に有しており、該当たり面１２ｃと、該当たり面１２ｃの背側（図２中、上側）の外面１２ｄとの間隔が、その基部側が幅広で先端に向かうにしたがって幅狭となるよう、正面視略三角形状に形成されている。
【００１７】
固定アゴ本体１２の中央部には、その背側（図２中、上側）の上面から、腹側（図２中、下側）の下面に至る連通孔１２ｅが形成されており、この連通孔１２ｅに後述する可動アゴ本体１４のラック１４ａが上下方向にスライド可能に挿通される。
【００１８】
固定アゴ本体１２の前側面１２ａには、固定アゴ部１２ｂの背側（上面側）から腹側（下側）に至る部分まで切り欠き１２ｆが設けられている。この切り欠き１２ｆは、連通孔１２ｅと連通しており、後述する可動アゴ本体１４の接続部分１４ｆが挿通されている（切り欠き１２ｆは、後述する可動アゴ本体１４の接続部分１４ｆが上下方向に移動するための通路として機能する。）。
【００１９】
固定アゴ本体１２の中央部分には、矩形状の窓１２ｇが形成されており、この窓１２ｇから後述するウォーム１８とスライドカラー２６が覗くようになる。
【００２０】
固定アゴ本体１２の後部（図２中、右側）には、その全体が広くスリット状に切り欠かれて柄挟持部１２ｈが形成されており、この柄挟持部１２ｈに後述する柄１６の取付部１６ｂが挿入されている。柄挟持部１２ｈの腹側面（下側面）が可動アゴ部側下端部１２ｔであり、この可動アゴ部側下端部１２ｔに後述する切替部材３２が挿入される。
【００２１】
固定アゴ本体１２のうち、連通孔１２ｅと柄挟持部１２ｈとで挟まれた中実部分が連結部１２ｉであり、この連結部１２ｉのうち、柄挟持部１２ｈに面する後側面には、バネ収容孔１２ｊが形成されており、このバネ収容孔１２ｊに柄押圧用バネ４０が自由長よりも撓まされた状態で収容されている（したがって、柄押圧用バネ４０は、後述する柄１６の当たり面１６ｅを常時後方へ向けて押圧している。）。
【００２２】
連結部１２ｉのうち窓１２ｇと面する腹側面（下側面）には、連通孔１２ｅに平行にネジ穴１２ｋが形成されており、このネジ孔１２ｋに後述するシャフト３０の雄ネジ３０ａが螺入されている。
【００２３】
また、連結部１２ｉのうち、窓１２ｇの下側の部分には、断面円形状のスライドカラー収容孔１２ｐが形成されている。スライドカラー収容孔１２ｐは、柄挟持部１２ｈと連通しており、後述するラチェット機構２０のスライドカラー２６、主バネ２８ならびにシャフト３０が収容されている。なお、前記スライドカラー収容孔１２ｐの直径は、柄挟持部１２ｈの幅より大である。
【００２４】
さらに、固定アゴ本体１２のうち、柄挟持部１２ｈが形成されている部分の上部には、柄取付用孔１２ｍが貫通して形成されており、同下部には、切替部材取付用孔１２ｎが貫通して形成されている。
【００２５】
可動アゴ本体１４は、固定アゴ本体１２の固定アゴ部１２ｂに対して近接離間可能に取り付けられ、固定アゴ本体１２と協働してボルト、ナットなどの被締着部材を挟持するもので、図２中、上下方向に伸びるラック１４ａと、ラック１４ａの下端部から接続部分１４ｆを介し、前方へ向けて延設された可動アゴ部１４ｂとを備えている。
【００２６】
ラック１４ａは、細長の棒状部分で、その外径は、上述した固定アゴ本体１２の連通孔１２ｅにスライド可能に移動できるよう、連通孔１２ｅの内径よりやや小さめに設定されており、ラック１４ａの後側（図２中右側）には、ラック歯１４ｃがその全長にわたって形成されている。
【００２７】
可動アゴ部１４ｂは、ラック１４ａの軸方向に対して直交する方向に伸びる当たり面１４ｄを有しており、当たり面１４ｄと、当たり面１４ｄの腹側の外面１４ｅとの間隔が、その基部側が幅広で先端に向かうにしたがって幅狭となるよう、正面視略三角形状に形成されている。なお、組み立て完了後、この当たり面１４ｄと、上述した固定アゴ部１２ｂの当たり面１２ｃとは略平行となっており、両当たり面１２ｃ，１４ｄでボルト・ナットなどの被締着部材Ｘを挟持できるようになっている。
【００２８】
可動アゴ部１４ｂのラック１４ａとの接続部分は薄肉に形成されており、この薄肉の接続部分１４ｆが固定アゴ本体１２の切り欠き部分１２ｆに挿入されている。
【００２９】
柄１６は、金属などの剛性材料からなる細長の板状部材で、柄本体１６ａと取付部１６ｂとを有する。
【００３０】
取付部１６ｂは、柄本体１６ａの前端部から延設され、固定アゴ本体１２への取付部分として機能する薄板状部分であり、固定アゴ本体１２の柄挟持部１２ｈに挿入できるよう、その厚みが柄挟持部１２ｈの幅よりもやや薄肉に形成されている。
【００３１】
取付部１６ｂには、固定アゴ本体１２の柄取付用孔１２ｍと対応する位置に丸孔１６ｃが形成されており、別途用意した支点軸４６の先端を固定アゴ本体１２の一方の柄取付用孔１２ｍ、丸孔１６ｃ、固定アゴ本体１２の他方の柄取付用孔１２ｍに挿入し、その挿入端をカシメることによって、柄１６が固定アゴ本体１２に、支点軸４６を軸中心として揺動可能に取り付けられることになる。
【００３２】
取付部１６ｂの前端部中央部分には、緩止機構収容凹所１６ｄが形成されており、この緩止機構収容凹所１６ｄに後述する緩止機構２４が収容されている（この点については後述する）。
【００３３】
取付部１６ｂの前端部であって、緩止機構収容凹所１６ｄの上部には、当たり面１６ｅが上下方向に伸びており、緩止機構収容凹所１６ｄの下部には、段部１６ｆが形成されている。段部１６ｆの下部には、図２中、左側にスライドカラー係止凸部１６ｉが突設され、その左上側端部には、スライドカラー係止端部１６ｊが設けられており、その下端部分に下端部１６ｈが形成されている。
【００３４】
また、取付部１６ｂの下端部中ほどには、後述する切替部材３２を固定するための切替部材固定用凹所１６ｇが形成され、切替部材固定用凹所１６ｇと下端部１６ｈの境界部分には、傾斜面１６ｋが形成され、下端部１６ｈと傾斜面１６ｋの境界部分には、下端境界部１６ｍが形成されている。
【００３５】
ウォーム１８は、ラック歯１４ｃと噛合して、固定アゴ本体１２にその拡縮方向（図２における上下方向）にスライド可能に取り付けられている可動アゴ本体１４の上下方向の位置を調整するためのもので、円筒状のウォーム本体１８ａと、その外周面に設けられた螺旋突条１８ｂとを有する。
【００３６】
ウォーム本体１８ａは、固定アゴ本体１２の窓１２ｇ内を上下方向に移動できるよう、その上下方向のウォーム長さｈが窓１２ｇの軸方向の高さＨよりも短く設定されている。
【００３７】
螺旋突条１８ｂは、ウォーム本体１８ａの外面に螺旋状に突設されており、そのピッチ（間隔）は、ラック歯１４ｃと噛合するよう、ラック歯１４ｃのピッチと合うように適宜設定されている。ウォーム本体１８ａの中心に形成されている孔１８ｃには、後述するようにシャフト３０が挿通されている。
【００３８】
ラチェット機構２０は、ウォーム１８を回転操作することなく可動アゴ本体１４の上下方向の移動を可能にするためのもので、スライドカラー２６、主バネ２８およびシャフト３０により大略構成されている。
【００３９】
スライドカラー２６は、円筒状のスライドカラー本体２６ａと、円形鍔２６ｂと、係止爪２６ｃとを有する。
【００４０】
スライドカラー本体２６ａは、その外面が固定アゴ本体１２のスライドカラー収容孔１２ｐの内面形状に沿うような円柱状となっており、スライドカラー収容孔１２ｐに挿入された状態で上下方向にスライド出来るようになっている。
【００４１】
円形鍔２６ｂは、その外径がウォーム１８の螺旋突条１８ｂの外径と略等しく、あるいは小さめに設定され、一部が切り欠かれた円盤状のもので、スライドカラー本体２６ａの上端部にてスライドカラー本体２６ａと一体的に形成されている。円形鍔２６ｂの厚さｄは、螺旋突条１８ｂの厚さＤと略等しい、あるいは大きいことが好ましく、円形鍔２６ｂの外周面は、平滑面にて形成されているが、滑り止めのローレットを設けるようにしてもよい。また、円形鍔２６ｂのラック歯１４ｃと向き合う側は、ラック歯１４ｃのスライド移動を妨げないように切り欠き２６ｅを備えている。
【００４２】
係止爪２６ｃは、スライドカラー本体２６ａの側面から側方へ向けて延設された矩形板状部分で、ラチェット機構２０が機能していない状態（後述する図３の状態）と、ラチェット機構２０は機能しているが被締着部材Ｘを挟持している状態（後述する図４の状態）とにおいて柄１６の段部１６ｆに嵌り込むよう、その位置や大きさが適宜設定されている。
【００４３】
主バネ２８は、スライドカラー２６をウォーム１８と共に固定アゴ本体１２のネジ穴１２ｋの方向へ押し上げるためのもので、後述するシャフト３０を取り巻くように配設されている。主バネ２８の外径は、スライドカラー本体２６ａの外径と略等しく、あるいはやや小さめに設定されており、主バネ２８の内径は、シャフト３０の外径よりもやや大きめに設定されている。
【００４４】
シャフト３０は、ウォーム１８とスライドカラー２６が共に上下方向に移動する際のガイドとなるもので、主バネ２８、スライドカラー２６の孔２６ｄおよびウォーム１８の孔１８ｃにこの順に挿通されている。
【００４５】
シャフト３０の先端には、雄ネジ３０ａが螺設されており、この雄ネジ３０ａが固定アゴ本体１２のネジ穴１２ｋに螺入されている。雄ネジ３０ａとは反対側の端部には、頭部３０ｂが配設されている。頭部３０ｂの外径は、スライドカラー収容孔１２ｐの内径と略等しく或いはやや小さめに設定されており、また、後述するように、主バネ２８を保持するために主バネ２８の外径よりも大きめに設定されている。
【００４６】
切替機構２２は、切替部材３２とクリックバネ３４とで大略構成されている。
【００４７】
切替部材３２は、ラチェット機構２０の作動、非作動を切り替えるための部材であり、固定アゴ本体１２における切替部材取付用孔１２ｎと対応する位置には、丸孔３２ａが形成されており、別途用意した切替軸４８の先端を固定アゴ本体１２の一方の切替部材取付用孔１２ｎ、丸孔３２ａ、固定アゴ本体１２の他方の切替部材取付用孔１２ｎに挿入し、その挿入端をカシメることによって、切替部材３２が固定アゴ本体１２に、切替軸４８を軸中心として軸回転可能に取り付けられることになる。
【００４８】
切替部材３２の前端部には、係合突起３２ｂが図２中、左上方へ向けて突設されており、切替機構２２を作動にしたときに、この係合突起３２ｂが後述するクリックバネ３４の凹部３４ｂに嵌り込むよう、その位置や大きさが設定されている（図４参照）。
【００４９】
切替部材３２の係合突起３２ｂから続く突出部分には、柄ロック面３２ｃ、柄アンロック凹面３２ｄが連続して形成されている。
【００５０】
切替部材３２の下部は、その中央部分が凹設されて操作部３２ｅとなっている。操作部３２ｅは、可動アゴ部側下端部１２ｔから外方に突出するように配置されており、その外面には、滑り止め用の溝３２ｆが複数条刻設されている。
【００５１】
クリックバネ３４は、切替機構２２を作動にしたときに切替部材３２が動かないよう、その位置を固定するためのもので、ＳＵＳのような薄板状の金属板材を「ん字形」に曲折することによって形成されている。クリックバネ３４の前端部には、シャフト３０を挿通するための挿通孔３４ａが形成されており、後端部には、切替部材３２を保持するための凹部３４ｂが形成され、その先端にはラチェット機構２０が作動しないようにロック状態を保持するためのロック保持部３４ｃが形成されている。
【００５２】
緩止機構２４は、ラチェット機構付きモンキーレンチ１０を用いて被締着部材Ｘの締着作業を行っている際に、ウォーム１８が緩むのを防止するためのもので、弾接部材３６と弾接部材押圧用バネ３８とで大略構成されている。
【００５３】
弾接部材３６は、正面視逆コ字状の部材で、平面から見たときには、その基部から先端に向かうにしたがって幅狭となる鏃形状となっており（図２の円内参照）、弾接部材３６全体が柄１６の緩止機構収容凹所１６ｄ内に弾接部材押圧用バネ３８とともに収容されている。
【００５４】
弾接部材押圧用バネ３８は、緩止機構収容凹所１６ｄ内に自由長よりも撓まされた状態で配設されており、その弾発力によって弾接部材３６を前方へ向けて常に押圧しており、弾接部材３６の先端先鋭部分がウォーム１８の螺旋突条１８ｂのローレットが彫られた外面に常時、軽く当接している。
【００５５】
以下に、図１〜３を用いて、本発明のラチェット機構付きモンキーレンチ１０を組み立てる場合について説明する。図３は本発明における一実施形態のラチェット機構付きモンキーレンチ頭部を示す正面断面図である（ラチェット機構非作動時）。
【００５６】
図２に示すように、まず、固定アゴ本体１２のバネ収容孔１２ｊに取付部１６ｂの当たり面１６ｅを押圧するための柄押圧用バネ４０を挿入する。次に、取付部１６ｂを固定アゴ本体１２の柄挟持部１２ｈに嵌め込み、取付部１６ｂの丸孔１６ｃと固定アゴ本体１２の柄取付用孔１２ｍとの位置を合わせ、これらの孔を支点軸４６で貫通し、挿入端をカシメて、取付部１６ｂを固定アゴ本体１２に支点軸４６を軸中心として軸回転可能に固着する。
【００５７】
次に切替部材３２を固定アゴ本体１２の柄挟持部１２ｈ下端から、係合突起３２ｂが上方かつ可動アゴ部１４ｂ方向を向くように挿入し、切替部材３２の丸孔３２ａと固定アゴ本体１２の切替部材取付用孔１２ｎの位置を合わせ、これらの孔を切替軸４８で貫通し、挿入端をカシメて、切替部材３２を固定アゴ本体１２に切替軸４８を軸中心として軸回転可能に固着する。
【００５８】
次に、図３に示すように、切替部材３２は操作部３２ｅを可動アゴ部１４ｂ側の位置として、係合突起３２ｂが取付部１６ｂの下端部１６ｈと、柄ロック面３２ｃが切替部材固定用凹所１６ｇの傾斜面１６ｋとに当接するように配置し、ラチェット機構が作動しないようにする。
【００５９】
次に、図２に示すように、緩止機構２４の弾接部材押圧用バネ３８を弾接部材３６の弾接部材押圧用バネ収容凹所３６ａに弾接部材３６を前方へ向けて押圧する方向に配置し、この状態で弾接部材３６と弾接部材押圧用バネ３８を固定アゴ本体１２の窓１２ｇから、取付部１６ｂの緩止機構収容凹所１６ｄに弾接部材押圧用バネ３８と弾接部材３６を順次挿入する。次に、スライドカラー２６を、窓１２ｇからスライドカラー収容孔１２ｐに、円形鍔２６ｂをウォーム１８に隣接させ、また係止爪２６ｃは、柄挟持部１２ｈに挟み込まれるように挿入する。
【００６０】
次に、可動アゴ本体１４のラック１４ａを固定アゴ本体１２の連通孔１２ｅに、可動アゴ本体１４の下端が固定アゴ本体１２の下端に一致するように挿入する。次に、ウォーム１８を、その螺旋突条１８ｂが可動アゴ本体１４のラック歯１４ｃと噛合するように窓１２ｇに挿入する。
【００６１】
次に、クリックバネ３４のロック保持部３４ｃがシャフト３０の雄ネジ３０ａ側になるようにシャフト３０を挿通孔３４ａに挿通し、続いて主バネ２８を挿通して主バネ２８と頭部３０ｂでクリックバネ３４を挟む。その状態でシャフト３０を固定アゴ本体１２のスライドカラー収容孔１２ｐに挿入し、スライドカラー２６の孔２６ｄとウォーム１８の孔１８ｃを順次貫通してネジ穴１２ｋに挿入し、シャフト３０の雄ネジ３０ａをネジ穴１２ｋに螺着させることによってラチェット機構付きモンキーレンチ１０の組み立てが完了する。
【００６２】
この時、当たり面１６ｅと固定アゴ本体１２の連結部１２ｉとの間には、隙間Ｓ（図３参照）が形成されている。
【００６３】
上記のように組み立てられたウォーム１８部分は、常に主バネ２８の弾発力によって円形鍔２６ｂから図２中、上方向に向けて押圧されている。
【００６４】
以下に、図３〜６を用いて、上記のように構成されたラチェット機構付きモンキーレンチ１０の使用方法について説明する。図４〜６は、本発明におけるロック解除状態のラチェット機構付きモンキーレンチ１０の頭部を示す部分断面図である。固定アゴ部１２ｂと可動アゴ部１４ｂの間隔を調整するには、ラチェット機構付きモンキーレンチ１０の柄１６を握り、親指の先をウォーム１８の螺旋突条１８ｂのネジ山部にあててこれを回転させ、可動アゴ部１４ｂを上下方向にスライドすることで固定アゴ部１２ｂと可動アゴ部１４ｂの間隔を調整する。この時、円形鍔２６ｂが螺旋突条１８ｂに隣接しているので、ウォーム１８に強く親指の腹を押し当てつつウォーム１８を回しても、親指の腹が円形鍔２６ｂと螺旋突条１８ｂの間に入り込まず、したがって、仮に螺旋端Ｋがあったとしても、これに親指の腹が当らず、親指を痛めることがない。
【００６５】
図３に示すように、切替部材３２を可動アゴ部１４ｂ側の位置に倒してラチェット機構を作動させない場合は、クリックバネ３４のロック保持部３４ｃは、切替部材３２の係合突起３２ｂを下端部１６ｈに押圧固定し、切替部材固定用凹所１６ｇに柄アンロック凹面３２ｄが嵌り込んだ状態となっており、そのため、取付部１６ｂの段部１６ｆがスライドカラー２６の係止爪２６ｃに係止し、これらによってウォーム１８およびこれに噛合するラック１４ａがシャフト３０の軸方向に移動できなくなり、そのため可動アゴ部１４ｂが固定され、通常のモンキーレンチと同様に使用することができる。
【００６６】
被締着部材Ｘとしての六角ナットＸを、固定アゴ部１２ｂの当たり面１２ｃと可動アゴ部１４ｂの当たり面１４ｄで挟持するようにウォーム１８を回転させて調整し、柄１６を紙面上、時計或いは反時計方向のどちらの方向に回しても可動アゴ本体１４は移動することなく、六角ナットＸを締めたり、緩めたりすることができる。また、このときウォーム１８には、弾接部材３６が弾接しているので、締着作業中の振動等によりウォーム１８が緩むことはない。
【００６７】
図４〜６のように、切替部材３２を可動アゴ部１４ｂとは反対方向に倒しロック解除状態としてラチェット機構を作動させる場合は、ラチェット機構付きモンキーレンチ１０として使用することができる。切替部材３２を可動アゴ部１４ｂとは反対方向に倒すと、切替部材３２の係合突起３２ｂは、クリックバネ３４のロック保持部３４ｃを超えて、ロック保持部３４ｃを撓ませつつ、凹部３４ｂに嵌り込み、クリックバネ３４の弾発力で押着され、その位置がロックされる。
【００６８】
このとき、切替部材３２の柄ロック面３２ｃは、切替部材固定用凹所１６ｇから離間しているので、柄１６がフリーとなり切替軸４８を軸として揺動させることができるようになる。
【００６９】
この状態で柄１６を、紙面上、反時計回り方向に揺動させると、下端境界部１６ｍが柄アンロック凹面３２ｄから離間した状態で切替部材３２の柄アンロック凹面３２ｄの前方を移動し、取付部１６ｂの当たり面１６ｅが連結部１２ｉと当接するまで、隙間Ｓ分、揺動する。
【００７０】
この場合は、図４〜６に示すように、六角ナットＸの２辺を固定アゴ部１２ｂの当たり面１２ｃと可動アゴ部１４ｂの当たり面１４ｄで挟持するようにウォーム１８で調整し、紙面上、反時計方向に柄１６を回転することで、取付部１６ｂの段部１６ｆがスライドカラー２６の係止爪２６ｃから離間し、ウォーム１８はスライドカラー２６と共に主バネ２８を押し縮めながら、シャフト３０の頭部３０ｂの方向に移動する。
【００７１】
六角ナットＸがボルト等（図示せず）に固定されており回転しない場合には、図６に示すように、可動アゴ部１４ｂは、柄１６の反時計方向の回転に伴って、固定アゴ部１２ｂとの間隔が広がる方向に力を受け、下方向（シャフト３０の頭部３０ｂの方向）に移動する。可動アゴ部１４ｂの移動により可動アゴ本体１４のラック歯１４ｃと噛合しているウォーム１８も、噛合したままの状態で下方向に移動する。ウォーム１８の下方向への最大移動距離は、ウォーム１８下側の円形鍔２６ｂから窓１２ｇの上端までの距離Ｈ１であり、ボルト、ナットなどの被締着部材に当接した状態で空回りできるのに十分な距離が適宜設定されている。
【００７２】
このため、六角ナットＸに対して、可動アゴ部１４ｂは挟持している状態から六角ナットＸの周囲を滑り、空回りをする当接状態となる。柄１６を反時計回りに回転させている限り、この空回りの当接状態が維持される。
【００７３】
可動アゴ部１４ｂの当たり面１４ｄが、六角ナットＸの頂点を越えて、隣接する辺に当接すると、可動アゴ部１４ｂと固定アゴ部１２ｂとが当接する間隔は短くなるため、固定アゴ本体１２のスライドカラー収容孔１２ｐに配設された主バネ２８の弾発力によって、スライドカラー２６とウォーム１８が上方向に移動し、それとラック歯１４ｃで噛合している可動アゴ本体１４と可動アゴ部１４ｂも上方向に移動し、可動アゴ部１４ｂと固定アゴ部１２ｂが当接すべき間隔に合わせて可動アゴ部１４ｂが上方向に移動する。そして、取付部１６ｂの段部１６ｆにスライドカラー２６の係止爪２６ｃが嵌り込み、可動アゴ本体１４が下方向に移動できないよう係止する。
【００７４】
ここで、柄１６を時計回りにすると、前述のように段部１６ｆに係止爪２６ｃが嵌り込んで可動アゴ本体１４を係止しているので、ラチェット機構が作動し、図４に示す状態に戻る。すなわち、可動アゴ部１４ｂと固定アゴ部１２ｂが当接する間隔が当初設定した間隔となった時点で、取付部１６ｂの段部１６ｆがスライドカラー２６の係止爪２６ｃを係止し、これによってウォーム１８とこれに噛合するラック１４ａが移動できなくなり、そのため可動アゴ部１４ｂが固定され、六角ナットＸを挟持した状態に戻って六角ナットＸを回転することができる。
【００７５】
このように、本実施例にかかるラチェット機構付きモンキーレンチ１０によれば、柄１６の揺動をロック・アンロックする切替部材３２が、固定アゴ本体１２の可動アゴ部側下端部１２ｔに設けられているので、柄１６を握ると、親指が沿う位置に切替部材３２がちょうど位置することとなる。
【００７６】
したがって、ラチェット機構のオン・オフを切り替える際には、柄１６を握った手でそのまま親指で切替部材３２を操作すればよく、従来のように切替部材３２を操作するために柄１６を握りなおす必要がないのでその切替操作は非常に簡単である。
【００７７】
特に、高所であったり足場が悪い不安定な場所で被締結部材を締結する場合であっても、手からモンキーレンチ１０が滑り落ちるおそれはなく、安全に使用することができる。
【符号の説明】
【００７８】
Ｄ：螺旋突条１８ｂの厚さ，ｄ：円形鍔２６ｂの厚さ，Ｈ：窓１２ｇの高さ，Ｈ１：ウォーム１８下側の円形鍔２６ｂから窓１２ｇの上端までの距離，ｈ：ウォーム１８の長さ，Ｋ：螺旋端，Ｓ：隙間，Ｘ：被締着部材，１：従来のレンチ，２：固定アゴ本体，２ａ：長孔，２ｂ：固定アゴ部，３：可動アゴ本体，３ａ：可動アゴ部，４：柄，４ａ：切り欠き，５：ラチェット機構，６：ロック部材，６ａ：ロックボタン，６ｂ：ロックカム，７：軸，８：ウォーム，１０：ラチェット機構付きモンキーレンチ，１２：固定アゴ本体，１２ａ：前側面，１２ｂ：固定アゴ部，１２ｃ：当たり面，１２ｄ：外面，１２ｅ：連通孔，１２ｆ：切り欠き，１２ｇ：窓，１２ｈ：柄挟持部，１２ｉ：連結部，１２ｊ：バネ収容孔，1２ｋ：ネジ穴，１２ｍ：柄取付用孔，１２ｎ：切替部材取付用孔，１２ｐ：スライドカラー収容孔，１２ｔ：可動アゴ部側下端部，１４：可動アゴ本体，１４ａ：ラック，１４ｂ：可動アゴ部，１４ｃ：ラック歯，１４ｄ：当たり面，１４ｅ：外面，１４ｆ：接続部分，１６：柄，１６ａ：柄本体，１６ｂ：取付部，１６ｃ：丸孔，１６ｄ：緩止機構収容凹所，１６ｅ：当たり面，１６ｆ：段部，１６ｇ：切替部材固定用凹所，１６ｈ：下端部，１６ｉ：スライドカラー係止凸部，１６ｊ：スライドカラー係止端部，１６ｋ：傾斜面，１６ｍ：下端境界部，１８：ウォーム，１８ａ：ウォーム本体，１８ｂ：螺旋突条，１８ｃ：孔，２０：ラチェット機構，２２：切替機構，２４：緩止機構，２６：スライドカラー，２６ａ：スライドカラー本体，２６ｂ：円形鍔，２６ｃ：係止爪，２６ｄ：孔，２６ｅ：切り欠き，２８：主バネ，３０：シャフト，３０ａ：雄ネジ，３０ｂ：頭部，３２：切替部材，３２ａ：丸孔，３２ｂ：係合突起，３２ｃ：柄ロック面，３２ｄ：柄アンロック凹面，３２ｅ：操作部，３２ｆ：溝，３４：クリックバネ，３４ａ：挿通孔，３４ｂ：凹部，３４ｃ：ロック保持部，３６：弾設部材，３６ａ：弾接部材押圧用バネ収容凹所，３８：弾接部材押圧用バネ，４０：柄押圧用バネ，４６：支点軸，４８：切替軸
【図１】
2017030116.tif 000003
【図２】
2017030116.tif 000004
【図３】
2017030116.tif 000005
【図４】
2017030116.tif 000006
【図５】
2017030116.tif 000007
【図６】
2017030116.tif 000008
【図７】
2017030116.tif 000009